(57)【要約】【課題】  本発明は、複数種類の薬が服用日時毎に分別されて一包化され、該服用日時順に切り取り可能に巻回された長尺状の分包薬をコンパクトに収納し、必要なときに必要な分だけ取り出せる一包化分包の投薬容器を提供する。【解決手段】  投薬容器１内を、巻回された長尺状の分包薬２本体を回転可能に収納する第一の収納部９と、該分包薬２本体の外周先端部２ａを引き出し可能に収納する第二の収納部10とに区分けする仕切り片８と、該仕切り片８の先端部に設けられ、第一の収納部９内に収容された分包薬２本体から該分包薬２本体の外周先端部２ａを分離して該外周先端部２ａを第二の収納部10内にガイドするガイド片８ａと、該第二の収納部10を開閉可能な開閉蓋26とを有し、開閉蓋26を開放して第二の収納部10内に収容された分包薬２本体の外周先端部２ａを引き出し可能に構成したことを特徴とする。【選択図】      図６
2013082465.tif 000002
【特許請求の範囲】
【請求項１】
複数種類の薬が服用日時毎に分別されて一包化され、該服用日時順に切り取り可能に巻回された長尺状の分包薬を収納する一包化分包の投薬容器であって、
前記投薬容器内を、巻回された長尺状の分包薬本体を回転可能に収納する第一の収納部と、前記巻回された分包薬本体の外周先端部を引き出し可能に収納する第二の収納部とに区分けする仕切り片と、
前記仕切り片の先端部に設けられ、前記第一の収納部内に収容された前記分包薬本体から該分包薬本体の外周先端部を分離して該外周先端部を前記第二の収納部内にガイドするガイド片と、
前記第二の収納部を開閉可能な開閉蓋と、
を有し、
前記開閉蓋を開放して前記第二の収納部内に収容された前記分包薬本体の外周先端部を引き出し可能に構成されたことを特徴とする一包化分包の投薬容器。
【請求項２】
前記ガイド片は、前記仕切り片にヒンジ部を介して回動可能に設けられ、前記分包薬本体の外周先端部を引き出す際に前記第一の収納部内で回転する前記分包薬本体の回転方向及び前記分包薬本体の外周先端部の引き出し方向と逆の方向に向かって、前記分包薬本体と、該分包薬本体の外周先端部との間に揺動自在に差し込まれたことを特徴とする請求項１に記載の一包化分包の投薬容器。
【請求項３】
前記開閉蓋は、
容器本体にヒンジ部を介して回動可能に設けられた蓋片と、
前記蓋片の両側辺に設けられ、外周縁に複数の凹凸部が設けられた扇形状の開閉角度規制片と、
前記容器本体側に設けられ、前記開閉角度規制片の外周縁に設けられた前記複数の凹凸部に係合し得る係合溝と、
を有し、
前記蓋片を前記ヒンジ部を介して回動して前記開閉蓋を開閉する際に、前記開閉角度規制片の外周縁に設けられた複数の凹凸部が前記係合溝に係合して該開閉角度規制片の前記容器本体内への進入量を規制することを特徴とする請求項１または請求項２に記載の一包化分包の投薬容器。
【発明の詳細な説明】
【技術分野】
【０００１】
本発明は、複数種類の薬が服用日時毎に分別されて一包化され、該服用日時順に切り取り可能に巻回された長尺状の分包薬を収納する一包化分包の投薬容器に関するものである。
【背景技術】
【０００２】
従来、投薬は医師により処方された用法、用量に従って服用する必要がある。多種類の薬が薬の種類ごとに包装されて投薬される場合、服用日時毎に多種類の薬を分別して服用しなければならず、煩わしい上に服用忘れや薬の種類や数量を誤って服用してしまう可能性がある。
【０００３】
このような問題を解決するために、従来では、予め服用日時毎に薬を分別して収納できる薬収納容器が特許文献１〜３等により提案されている。
【先行技術文献】
【特許文献】
【０００４】
【特許文献１】特開２００２−１１４２２７号公報
【特許文献２】実用新案登録第３１０９９５４号公報
【特許文献３】特開２００７−１６１２７０号公報
【発明の概要】
【発明が解決しようとする課題】
【０００５】
しかしながら、前述の従来例では、薬収納容器に予め服用日時毎に薬を分別する作業が煩わしい上に薬の種類や数量を誤って分別してしまう可能性もあった。
【０００６】
最近では、薬局で薬を受け取る際に予め医師の処方箋に従って、自動仕分け装置により複数種類の薬が服用日時毎に自動的に分別されて一包化され、該服用日時順に切り取り可能に巻回された長尺状の分包薬が投薬されるようになってきた。そして、このような長尺状の一包化分包薬をコンパクトに収容すると共に、必要なときに必要な分だけ取り出せる容器が望まれている。
【０００７】
本発明は前記課題を解決するものであり、その目的とするところは、複数種類の薬が服用日時毎に分別されて一包化され、該服用日時順に切り取り可能に巻回された長尺状の分包薬をコンパクトに収納し、必要なときに必要な分だけ取り出せる一包化分包の投薬容器を提供せんとするものである。
【課題を解決するための手段】
【０００８】
前記目的を達成するための本発明に係る一包化分包の投薬容器の第１の構成は、複数種類の薬が服用日時毎に分別されて一包化され、該服用日時順に切り取り可能に巻回された長尺状の分包薬を収納する一包化分包の投薬容器であって、前記投薬容器内を、巻回された長尺状の分包薬本体を回転可能に収納する第一の収納部と、前記巻回された分包薬本体の外周先端部を引き出し可能に収納する第二の収納部とに区分けする仕切り片と、前記仕切り片の先端部に設けられ、前記第一の収納部内に収容された前記分包薬本体から該分包薬本体の外周先端部を分離して該外周先端部を前記第二の収納部内にガイドするガイド片と、前記第二の収納部を開閉可能な開閉蓋とを有し、前記開閉蓋を開放して前記第二の収納部内に収容された前記分包薬本体の外周先端部を引き出し可能に構成されたことを特徴とする。
【０００９】
また、本発明に係る一包化分包の投薬容器の第２の構成は、前記第１の構成において、前記ガイド片は、前記仕切り片にヒンジ部を介して回動可能に設けられ、前記分包薬本体の外周先端部を引き出す際に前記第一の収納部内で回転する前記分包薬本体の回転方向及び前記分包薬本体の外周先端部の引き出し方向と逆の方向に向かって、前記分包薬本体と、該分包薬本体の外周先端部との間に揺動自在に差し込まれたことを特徴とする。
【００１０】
また、本発明に係る一包化分包の投薬容器の第３の構成は、前記第１、第２の構成において、前記開閉蓋は、容器本体にヒンジ部を介して回動可能に設けられた蓋片と、前記蓋片の両側辺に設けられ、外周縁に複数の凹凸部が設けられた扇形状の開閉角度規制片と、前記容器本体側に設けられ、前記開閉角度規制片の外周縁に設けられた前記複数の凹凸部に係合し得る係合溝とを有し、前記蓋片を前記ヒンジ部を介して回動して前記開閉蓋を開閉する際に、前記開閉角度規制片の外周縁に設けられた複数の凹凸部が前記係合溝に係合して該開閉角度規制片の前記容器本体内への進入量を規制することを特徴とする。
【発明の効果】
【００１１】
本発明に係る一包化分包の投薬容器の第１の構成によれば、開閉蓋を開放して第二の収納部内に収容された分包薬本体の外周先端部を容器本体の外に引き出すと、ガイド片によって第一の収納部内に収容された分包薬本体から該分包薬本体の外周先端部がガイドされつつ分離され、巻回された長尺状の分包薬本体はガイド片と仕切り片に位置が拘束されつつ回転し、該分包薬本体から分離された外周先端部が第二の収納部内を通過して容器本体の外に導かれる。
【００１２】
また、本発明に係る一包化分包の投薬容器の第２の構成によれば、分包薬本体の外周先端部を引き出す際に、仕切り片にヒンジ部を介して回動可能に設けられたガイド片が、第一の収納部内で回転する分包薬本体の回転方向及び該分包薬本体の外周先端部の引き出し方向とは逆の方向に向かって、分包薬本体と、該分包薬本体の外周先端部との間に差し込まれた状態で揺動し、ミシン目等を介して切り取り可能に巻回された長尺状の分包薬に無理な力が加わることなく、該分包薬本体と、該分包薬本体の外周先端部とを分離出来、切り取り用のミシン目などから不用意に裂けることが無い。
【００１３】
また、本発明に係る一包化分包の投薬容器の第３の構成によれば、蓋片をヒンジ部を介して回動して開閉蓋を開閉する際に、開閉角度規制片の外周縁に設けられた複数の凹凸部が容器本体側に設けられた係合溝に係合して該開閉角度規制片の容器本体内への進入量を規制することで開閉蓋の開閉角度を調整することが出来る。
【図面の簡単な説明】
【００１４】
【図１】（ａ）は本発明に係る一包化分包の投薬容器の構成を示す外観図、（ｂ）は（ａ）のＡ−Ａ断面図である。
【図２】（ａ）は本発明に係る一包化分包の投薬容器の開閉蓋側の正面図、（ｂ）は開閉蓋と、それに隣設される面板を開放して容器本体内部の様子を示す分解説明図である。
【図３】本発明に係る一包化分包の投薬容器の展開図である。
【図４】本発明に係る一包化分包の投薬容器の組立説明図である。
【図５】本発明に係る一包化分包の投薬容器内に巻回された長尺状の分包薬を収納する様子を示す斜視説明図である。
【図６】（ａ）は開閉蓋を開放して第二の収納部内に収容された分包薬本体の外周先端部を引き出す様子を示す斜視説明図、（ｂ）は（ａ）のＢ−Ｂ断面図である。
【発明を実施するための形態】
【００１５】
図により本発明に係る一包化分包の投薬容器の一実施形態を具体的に説明する。
【００１６】
図１〜図６において、１は複数種類の薬が服用日時毎に分別されて一包化され、該服用日時順に切り取り可能に巻回された長尺状の分包薬２を収納する一包化分包の投薬容器である。本実施形態の投薬容器１は、図３の展開図に示すように１枚の紙から切り出されて作成されている。図３に示すように、側面板３，４，５，６がそれぞれ折曲線13，27，28を介して接続されており、側面板３の一辺には接着片７を介して仕切り片８が接続されている。
【００１７】
仕切り片８は、図１（ｂ）及び図６（ｂ）に示すように、投薬容器１内を、巻回された長尺状の分包薬２本体を回転可能に収納する第一の収納部９と、該巻回された分包薬２本体の外周先端部２ａを引き出し可能に収納する第二の収納部10とに区分けする。
【００１８】
仕切り片８の先端部には第一の収納部９内に収容された分包薬２本体から該分包薬２本体の外周先端部２ａを分離して該外周先端部２ａを第二の収納部10内にガイドするガイド片８ａが設けられている。本実施形態のガイド片８ａは、仕切り片８にヒンジ部となる折曲線８ｂを介して回動可能に設けられ、図６（ｂ）に示すように、分包薬２本体の外周先端部２ａを引き出す際に第一の収納部９内で回転する分包薬２本体の回転方向ｂ及び該分包薬２本体の外周先端部２ａの引き出し方向ａと逆の方向（カウンター方向）に向かって、分包薬２本体と、該分包薬２本体の外周先端部２ａとの間に揺動自在に差し込まれる。
【００１９】
仕切り片８の一辺に接続された接着片７と反対側の辺には接着片11が接続されており、図４（ａ）に示すように、側面板３，４を折曲線13で直角に折り曲げると共に、該側面板３に対して接着片７を折曲線12で直角に折り曲げ、更に、接着片７に対して仕切り片８を折曲線15で直角に折り曲げ、更に、仕切り片８に対して接着片11を折曲線14で直角に折り曲げて、投薬容器１の内側で接着片11と側面板４とを接着剤11ａにより接着する。
【００２０】
更に、図４（ｂ）に示すように、側面板４，５，６を互いの接続部に設けられた折曲線27，28で順次直角に折り曲げて側面板６の一辺を接着片７に接着剤７ａにより接着する。そして、側面板４，６の一辺に接続されたフラップ片４ａ，６ａをその接続部に設けられた折曲線４ｂ，６ｂで直角に折り曲げ、更に、仕切り片８の一辺に接続されたフラップ片８ｃをその接続部に設けられた折曲線８ｅで直角に折り曲げてフラップ片４ａ，６ａの外側に重ね、側面板５の一辺に接続された蓋板16をその接続部に設けられた折曲線29で直角に折り曲げて蓋板16の一辺に接続された差込片16ａをその接続部に設けられた折曲線で直角に折り曲げて、仕切り片８とフラップ片８ｃとの折曲線８ｅ上に貫通して設けられた係止溝８ｄ内に挿入して蓋板16を係止する。
【００２１】
容器本体を構成する側面板３の一辺には、ヒンジ部となる折曲線17を介して回動可能に設けられた蓋片18が接続されており、該蓋片18は第二の収納部10を開閉可能な開閉蓋26を構成する。蓋片18は、略中央部に設けられた折曲線18ａで２つ折りに折り曲げられ、接着剤18ｂにより接着されて、開閉蓋26として剛性を高めた２重構造とされる。折曲線18ａ上には楕円形状の貫通穴18ｃが設けられており、蓋片18を折曲線18ａで２つ折りに折り曲げて接着した状態では、開閉蓋26を開閉操作する際に指が掛かり易い半月状の取手26ａとして機能する。
【００２２】
蓋片18の両側辺には、外周縁に複数の凹凸部19ａ，20ａが設けられた扇形状の開閉角度規制片19，20が接続されている。開閉角度規制片19，20はその接続部に設けられた折曲線21，22で直角に折り曲げて側面板４，６の内面側に挿入される。図２に示すように、容器本体側となるフラップ片４ａ，６ａのそれぞれの折曲線４ｂ，６ｂ上の一端部には、開閉角度規制片19，20の外周縁に設けられた複数の凹凸部19ａ，20ａにそれぞれ係合し得る係合溝４ｃ，６ｃが形成されている。
【００２３】
開閉蓋26の蓋片18をヒンジ部となる折曲線17を介して回動して該蓋片18を開閉する際に、開閉角度規制片19，20の外周縁に設けられた複数の凹凸部19ａ，20ａがそれぞれ係合溝４ｃ，６ｃに係合して該開閉角度規制片19，20の容器本体内への進入量を段階的に規制して開閉蓋26の開放角度を所望の角度に設定することが出来る。開閉角度規制片19，20の端部には係止部19ｂ，20ｂが設けられおり、該係止部19ｂ，20ｂがフラップ片４ａ，６ａに当接して開閉蓋26が最大角度で係止される。そして、図６に示すように、開閉蓋26を開放して第二の収納部10内に収容された分包薬２本体の外周先端部２ａを所望の長さだけ引き出すことが出来る。
【００２４】
図２（ａ）に示すように、蓋板16を係止した状態で、該蓋板16の外側に重ねた状態で蓋片18を閉じ、図５に示すように、側面板３の一辺に接続されたフラップ片３ａ、側面板４の一辺に接続されたフラップ片４ｄ、側面板５の一辺に接続された蓋板23、側面板６の一辺に接続されたフラップ片６ｄを開放した状態で、仕切り片８により投薬容器１内が区分けされた第一の収納部９内に分包薬２本体を収容する。分包薬２本体の収容方向は、図６（ｂ）に示すように、仕切り片８の第二の収納部10側における該分包薬２本体の外周先端部２ａの引き出し方向ａと、該仕切り片８の第一の収納部９側で該仕切り片８に近接する側の該分包薬２本体の回転方向ｂとが同方向（順方向）となる方向に収容する。
【００２５】
そして、第一の収納部９内に収納された分包薬２本体の外周先端部２ａを仕切り片８の長さにガイド片８ａの長さを加えた長さに対応する所定長さを引き出し、該外周先端部２ａをガイド片８ａ及び仕切り片８に沿って第二の収納部10内に挿入する。このとき、ガイド片８ａを折曲線８ｂで該分包薬２本体の外周径に対応した角度に折り曲げ、該ガイド片８ａを外周先端部２ａの引き出し方向ａとは逆の方向に向かって、分包薬２本体と、該分包薬２本体の外周先端部２ａとの間に差し込む。
【００２６】
その後、側面板４，６の一辺に接続されたフラップ片４ｄ，６ｄをその接続部に設けられた折曲線４ｅ，６ｅで直角に折り曲げ、更に、側面板３の一辺に接続されたフラップ片３ａをその接続部に設けられた折曲線３ｂで直角に折り曲げてフラップ片４ｄ，６ｄの外側に重ね、側面板５の一辺に接続された蓋板23をその接続部に設けられた折曲線24で直角に折り曲げて蓋板23の一辺に接続された差込片23ａをその接続部に設けられた折曲線で直角に折り曲げて、側面板３とフラップ片３ａとの折曲線３ｂ上に貫通して設けられた係止溝３ｃ内に挿入して蓋板23を係止する。
【００２７】
投薬容器１内に分包薬２を収納した状態で、該分包薬２を服用日時順に取り出す際には、図６に示すように、開閉蓋26の取手26ａに指を掛けて該開閉蓋26を開放し、第二の収納部10内に挿入されている分包薬２本体の外周先端部２ａを引き出し、服用日時毎に設けられたミシン目２ｂで切り取ることで、一包化分包を必要なときに必要な分だけ取り出すことが出来る。必要な分だけ取り出した後は、第二の収納部10内に分包薬２本体の外周先端部２ａを戻し、開閉蓋26を閉鎖することで長尺状の分包薬２をコンパクトに収納出来る。
【００２８】
上記構成によれば、開閉蓋26を開放して第二の収納部10内に収容された分包薬２本体の外周先端部２ａを容器本体の外に引き出すと、ガイド片８ａによって第一の収納部９内に収容された分包薬２本体から該分包薬２本体の外周先端部２ａがガイドされつつ分離され、巻回された長尺状の分包薬２本体はガイド片８ａと仕切り片８に位置が拘束されつつ回転し、該分包薬２本体から分離された外周先端部２ａが第二の収納部10内を通過して容器本体の外に導かれる。ガイド片８ａの外周縁8a1は半円形状で構成されており、これにより長尺状の分包薬２に無理な力が加わることなく該分包薬２本体と、該分包薬２本体の外周先端部２ａとを分離出来る。
【００２９】
また、分包薬２本体の外周先端部２ａを引き出す際に、仕切り片８にヒンジ部となる折曲線８ｂを介して回動可能に設けられたガイド片８ａが、第一の収納部９内で回転する分包薬２本体の回転方向ｂ及び該分包薬２本体の外周先端部２ａの引き出し方向ａとは逆の方向に向かって、該分包薬２本体と、該分包薬２本体の外周先端部２ａとの間に差し込まれた状態で揺動し、ミシン目２ｂを介して切り取り可能に巻回された長尺状の分包薬２に無理な力が加わることなく該分包薬２本体と、該分包薬２本体の外周先端部２ａとを分離出来、切り取り用のミシン目２ｂなどから不用意に裂けることが無い。
【００３０】
また、蓋片18をヒンジ部となる折曲線17を介して回動して開閉蓋26を開閉する際に、開閉角度規制片19，20の外周縁に設けられた複数の凹凸部19ａ，20ａが容器本体側のフラップ片４ａ，６ａのそれぞれの折曲線４ｂ，６ｂ上の一端部に設けられた係合溝４ｃ，６ｃに係合して該開閉角度規制片19，20の容器本体内への進入量を段階的に規制することで開閉蓋26の開閉角度を調整することが出来る。尚、図示しないが、蓋片18の端部や蓋板16の端部に切刃等を設けることで、分包薬２のミシン目２ｂを該切刃により容易に切断することが出来る。
【産業上の利用可能性】
【００３１】
本発明の活用例として、複数種類の薬が服用日時毎に分別されて一包化され、該服用日時順に切り取り可能に巻回された長尺状の分包薬を収納する一包化分包の投薬容器に適用出来る。
【符号の説明】
【００３２】
ａ    …分包薬本体の外周先端部の引き出し方向
ｂ    …分包薬本体の回転方向
１    …投薬容器
２    …分包薬
２ａ  …外周先端部
２ｂ  …ミシン目
３，４，５，６ …側面板
３ａ  …フラップ片
３ｂ  …折曲線
３ｃ  …係止溝
４ａ，６ａ …フラップ片
４ｂ，６ｂ …折曲線
４ｃ，６ｃ …係合溝
４ｄ，６ｄ  …フラップ片
４ｅ，６ｅ …折曲線
７    …接着片
７ａ  …接着剤
８    …仕切り片
８ａ  …ガイド片
8a1   …外周縁
８ｂ  …折曲線（ヒンジ部）
８ｃ  …フラップ片
８ｄ  …係止溝
９    …第一の収納部
10    …第二の収納部
11    …接着片
11ａ  …接着剤
12    …折曲線
13    …折曲線
14    …折曲線
15    …折曲線
16    …蓋板
17    …折曲線（ヒンジ部）
18    …蓋片（開閉蓋）
18ａ  …折曲線
18ｂ  …接着剤
18ｃ  …貫通穴
19，20 …開閉角度規制片
19ａ，20ａ …凹凸部
21，22 …折曲線
23    …蓋板
23ａ  …差込片
24    …折曲線
25    …蓋板
26    …開閉蓋
26ａ  …取手
【図１】
2013082465.tif 000003
【図２】
2013082465.tif 000004
【図３】
2013082465.tif 000005
【図４】
2013082465.tif 000006
【図５】
2013082465.tif 000007
【図６】
2013082465.tif 000008